(57)【特許請求の範囲】
【請求項１】
先端及び後端を有し、光ファイバの一端部が固着されたフェルールを収容した状態で、前記光ファイバの他端側の部位を前記後端から延出させるハウジングと、
前記ハウジングに収容され、前記フェルールの前記ハウジングからの抜けを防止するストッパと、
前記ストッパにその先端部が係合された状態で前記ハウジングの後端から延び、前記光ファイバの前記他端側の部位を部分的に囲む可撓性を有した保護ブーツと、
前記ストッパと前記保護ブーツとの間を相互に掛止させ、前記ハウジングの後端側への前記保護ブーツの変位を阻止する掛止部とを備え、
前記ストッパと前記保護ブーツの先端部との間の係合部は、前記ハウジング内に位置付けられているとともに、前記ストッパに形成された受け部を含み、前記受け部は外側から前記保護ブーツの先端部を嵌合させ、且つ、前記ハウジングの先端側への前記保護ブーツの変位を阻止する止め面を有することを特徴とする光コネクタ。
【請求項２】
前記ストッパから一体にして延び、前記保護ブーツの外側に配置された延出部を更に含むことを特徴とする請求項１に記載の光コネクタ。
【請求項３】
前記掛止部は、
前記保護ブーツの先端部外周に設けられた凸部と、
前記ストッパに前記凸部よりも前記ハウジングの後端側に位置して設けられ、前記凸部に掛止する掛止面と
を含むことを特徴とする請求項１または２に記載の光コネクタ。
【発明の詳細な説明】
【０００１】
【発明の属する技術分野】
本発明は、光ファイバを接続するための光コネクタに関する。
【０００２】
【従来の技術】
光通信の中継局等において、光ファイバテープ心線を接続する場合、光ファイバテープ心線を収容した光コネクタ同士を接続することが行われる。例えば、光通信装置を収容したラックの後部に布線された光ファイバテープ心線は、光通信装置の背面板等の近傍にて曲げられて、光通信装置側の光ファイバテープ心線と接続される。
【０００３】
しかし、光ファイバテープ心線を曲げる場合、曲げによる光損失を考慮して、通常、３０ｍｍ以上の曲率半径を維持することが必要とされる。また、光ファイバテープ心線の折損を防止する必要もある。こうした必要性から、光ファイバテープ心線は可撓性を有する保護ブーツに挿通される。そして、光コネクタが有するハウジングの後方の部位にて、保護ブーツに許容されている曲げにより、光ファイバテープ心線の上記の曲率半径が維持されるとともに、折損が防止されるものとなっている。
こうした事情から、光通信装置の背面板等の後方には、光コネクタ、保護ブーツの配置をも考慮して、例えば、約８０ｍｍ程度のスペースが確保される。
【０００４】
【発明が解決しようとする課題】
しかし、近年、光通信装置の小型化に伴い、光ファイバテープ心線の曲げによる光損失や折損を考慮したスペースを確保することが困難となるケースがでてきた。また、こうした小型化の要請の下、従来と比して、保護ブーツをより曲げることによって、前述のスペースを少なくする必要が生じる。しかし、保護ブーツをより曲げようとすると、保護ブーツが光コネクタから離脱することがあった。
【０００５】
本発明は上記の問題を解決するためになされたものであり、光ファイバテープ心線の曲げ損失や折損を考慮した光ファイバテープ心線の曲げ半径を、少ないスペースで確保することができる光コネクタを提供することを目的とする。
【０００６】
【課題を解決するための手段】
上記目的を達成するために本発明によれば、本発明では、該光コネクタは、ハウジング内に光ファイバテープ心線の一端部が固着されたフェルールが収容され、ストッパと保護ブーツを備えた光コネクタであって、前記光ファイバを挿通する前記保護ブーツを前記ストッパにより前記ハウジングの後端側に設けて、前記ストッパにより前記保護ブーツの先端部は前記ハウジング内に位置付けられていることを特徴としている。
【０００７】
以上のように構成される該光コネクタでは、保護ブーツの先端部は、前記ハウジング内に位置付けられる。そして、前記光ファイバテープ心線は保護ブーツを挿通して該コネクタの後端から延出するために、曲げ力が光ファイバテープ心線に加わっても、保護ブーツは、光ファイバーケーブルの曲げを拘束し、曲げによる折損や光損失を考慮した曲率半径を維持することができる。
【０００８】
また、前記ハウジング内に位置付けられた前記保護ブーツの先端部から後部側に位置する保護ブーツの部位は、光ファイバテープ心線を挿通した状態で曲がることができる。従って、光コネクタが有するハウジングの後方の部位において、保護ブーツが曲がる従来の光コネクタに比べて、光通信装置の背面板側等におけるスペースを少なくすることができる。
【０００９】
本発明では、該光コネクタのハウジングは、先端及び後端を有し、光ファイバテープ心線の一端部が固着されたフェルールを収容した状態で、前記光ファイバテープ心線の他端側の部位を前記後端から延出させる。そして、前記ハウジングに収容されたストッパは、前記フェルールが前記ハウジングから抜けることを防止する。
【００１０】
ここで、可撓性を有した保護ブーツは、前記ストッパにその先端部が係合された状態で前記ハウジングの後端から延びて、前記光ファイバテープ心線の前記他端側の部位を部分的に囲み、且つ、前記ストッパと前記保護ブーツの先端部との間の係合部は、前記ハウジング内に位置付けられるものとなっている。
【００１１】
このように構成される該光コネクタでは、前記光ファイバテープ心線は保護ブーツに囲まれて該コネクタの後端から延出するために、曲げ力が光ファイバテープ心線に加わっても、保護ブーツは、光ファイバーケーブルの曲げを拘束し、曲げによる折損や光損失を考慮した曲率半径を維持することができる。
【００１２】
また、前記ハウジング内に位置付けられた前記ストッパと前記保護ブーツの先端部との係合部から後部側に位置する保護ブーツの部位は、光ファイバテープ心線を囲んだ状態で曲がることができる。従って、光コネクタが有するハウジングの後方の部位において、保護ブーツが曲がる従来の光コネクタに比べて、光通信装置の背面板側等におけるスペースを少なくすることができる。
【００１３】
本発明では、該光コネクタは、前記ストッパから一体にして延び、前記保護ブーツの外側に配置された延出部を含んでいる。従って、該光コネクタを挿抜するときにおいて、前記延出部は、光ファイバテープ心線に不要な力が加わることを防止することができる。また、該光コネクタが光通装置等に接続された状態において、前記延出部は光ファイバテープ心線に意図しない力が加わることを防止することができる。
【００１４】
本発明では、前記係合部は、前記ストッパに形成された受け部を含み、この受け部は外側から前記保護ブーツの先端部を嵌合させ、且つ、前記ハウジングの先端側への前記保護ブーツの変位を阻止する止め面を有している。
【００１５】
従って、該光コネクタでは、前記ストッパと前記保護ブーツとの相互の位置関係を規定して両者を掛止することができるため、前記保護ブーツは、所定の曲率半径を確保するために必要な長さに亘って、光ファイバテープ心線を囲むことができる。このとき、前記受け部は保護ブーツの可撓性に抗して保護ブーツの先端部を掛止するため、前記保護ブーツは前記ストッパから容易に離脱しない。更に、接着剤を使用して前記受け部と保護ブーツの先端部とを固定すれば、両者間の離脱はより確実に防止される。
【００１６】
本発明では、該光コネクタは、前記ストッパと前記保護ブーツとの間を相互に掛止させ、前記ハウジングの後端側への前記保護ブーツの変位を阻止する掛止部とを更に備えている。
このような構成を有する該光コネクタでは、前記保護ブーツは前記ストッパから後方に離脱し難い。
【００１７】
また、前記保護ブーツを曲げる力による前記ブーツ後方への分力に対しても、前記掛止部は前記ハウジングの後端側への前記保護ブーツの変位を阻止することができる。従って、前記保護ブーツを曲げる力によって、前記保護ブーツは前記ストッパから離脱し難い。
【００１８】
そして、前記ハウジングの後端側への前記保護ブーツの変位が阻止されることから、前記受け部と保護ブーツの先端部とを接着剤を使用して固定する必要がなく、該光コネクタの組立は容易なものとなる。
【００１９】
本発明では、該光コネクタの前記掛止部は、前記保護ブーツの先端部外周に設けられた凸部と、前記ストッパに前記凸部よりも前記ハウジングの後端側に位置して設けられ、前記凸部に掛止する掛止面とを含んでいる。
【００２０】
このような構成を有する該光コネクタでは、前記保護ブーツの先端部外周に設けられた凸部は、前記ストッパの掛止面に掛止する。従って、前記保護ブーツは前記ストッパから後方に離脱し難い。また、前記受け部と保護ブーツの先端部とを接着剤を使用して固定する必要がなく、該光コネクタの組立は容易なものとなる。
【００２１】
このような可撓性を有する前記保護ブーツを金型等で形成する場合において、前記凸部は前記保護ブーツの先端部外周に設けられているために、前記保護ブーツを前記金型から抜き取るときに、前記凸部は金型に係合することがないため、前記保護ブーツの製造は容易になる。
【００２２】
【発明の実施の形態】
以下、本発明に係る光コネクタを図面に基づいて詳細に説明する。
（参考形態）
図１は、本発明に係る光コネクタの参考形態の要部構成を示す断面図であり、図２は図１の光コネクタの平面図（ａ）と側面図（ｂ）である。
【００２３】
図１及び図２に示すように、光コネクタ１は、ハウジング２、ピン基台４、コイルばね５、ストッパ６、スライダ７及び保護ブーツ９を有しており、そして、ハウジング２はテープファイバ（光ファイバテープ心線）が固着されたフェルール３を収容する。光コネクタ１では、フェルール３、ガイドピン３ａ、スライダ７並びにハウジング２の前部は、ＪＩＳ規格に準拠したＭＰＯコネクタの寸法に設定されている。
【００２４】
ハウジング２は合成樹脂（ＰＢＴ（ポリブチレンテレフタレート）、ＰＰＳ（ポリフェニレンサルファイド）等）製で、略長方形状の断面を有する筒状に形成されている。ハウジング２の前部内周には、フェルール３のつば部に当接してフェルール３の前方への突出を規制する段部２ａが形成され、そして、後部両側部の内面には、ストッパ６を係止する係止孔２ｂが形成されている。また、ハウジング２の後部両側部の外面には、凹溝２ｃが形成され、凹溝２ｃは、スライダ７をハウジング２の先端２ｅに向けて付勢するスプリング８を収容している。なお図１中の２ｄは、係合溝であり、この係合溝は接続相手の光コネクタに形成された突起に係合する。
【００２５】
ハウジング２に挿着されるストッパ６は合成樹脂（ＰＢＴ（ポリブチレンテレフタレート）、ＰＰＳ（ポリフェニレンサルファイド）等）製で、略長方形の本体部と、この本体部の両側部外面に略長方形の延出部を有し、これら延出部には係止孔２ｂに係止する突起６ａとして形成され、本体部の後部には保護ブーツ９の先端部９ａが嵌合する段部（受け部）６ｂが止め面６ｃと共に形成されている。段部６ｂに嵌合した保護ブーツ９は、その先端が止め面６ｃに当接することで、ストッパ６の前部方向への変位が規制される。ここで、ストッパ６の突起６ａがハウジング２の係止孔２ｂに係止した状態にて、ストッパ６の後端６ｄ及び段部６ｂは、ハウジング２の後端２ｆよりもその先端２ｅ側の内部に位置付けられるものとなっている。
【００２６】
上記のようにハウジング２に係止するストッパ６は、合成樹脂（エラストマー等）製で、コイルばね５がハウジング２より抜けないように保持する。ピン基台４は、フェルール３の後部に配置して設けられ、フェルール３の先端の両側部から突出するガイドピン３ａが抜けないように保持している。ここで、コイルばね５はピン基台４を介してフェルール３を嵌合方向へ押圧する。
なお、ストッパ６は、ハウジング２からの、コイルばね５あるいはフェルール３の抜けを防止する係止手段を構成している。
【００２７】
ハウジング２に収容されるフェルール３は、いわゆるＭＴ（mechanically  transferable）フェルールと呼ばれる多心コネクタ用のフェルールであり、テープファイバ３ｂ（光ファイバテープ心線）を有している。テープファイバ３ｂは複数の光ファイバを有しており、各光ファイバの端面はフェルール３の端面に露出して設けられ、接続端面が形成されている。そして、テープファイバ３ｂは、保護ブーツ９に囲まれて、ハウジング２の後端２ｆから後方へ延出するように装着される。
【００２８】
可撓性を有する保護ブーツ９は、図１に示すように略長方形状の断面の筒状に形成され、その先端部９ａは後端９ｂよりもその厚さが厚い。そして、保護ブーツ９の先端がストッパ６の止め面６ｃに当接するまで、先端部９ａをストッパ６の段部６ｂに嵌合させる。なお、このとき、後端６ｄも保護ブーツ９に当接する。ここで、先端部９ａの内周はストッパ６の段部６ｂの外周より若干小さく形成されているため、ストッパ６に嵌合した保護ブーツ９はストッパ６から離脱し難い。なお、ストッパ６の段部６ｂと保護ブーツ９の先端部９ａの内周面との間を接着材で接着することにより、保護ブーツ９がストッパ６から離脱することをより確実に防止できる。
【００２９】
上述のように構成された光コネクタ１では、テープファイバ３ｂに曲げ力が加わった場合、テープファイバ３ｂを囲む保護ブーツ９は、その可撓性で、上記曲げ力に抗しつつ変形することによって、テープファイバ３ｂが曲がる部分の曲率半径を所定値以上に維持する。
【００３０】
ここで、保護ブーツ９は、ストッパ６の段部６ｂに嵌合して、ハウジング２の後端２ｆよりもその先端２ｅ側の内部に位置付けられるため、保護ブーツ９はハウジング２の内部から変形することができる。即ち、テープファイバ３ｂを曲げて光コネクタ１を配置しなければならないとき、光コネクタ１の後方のスペースが少ない場合においても、光コネクタ１は、テープファイバ３ｂの曲率半径を所定値以上に維持することができ、且つ、テープファイバ３ｂの折損を防止することができる。
【００３１】
（参考形態の変形例）
次に、上述の参考形態の変形例について図３及び図４を用いて説明する。
図３は本発明に係る光コネクタの参考形態の変形例の要部構成を示す断面図であり、図４は図３の光コネクタの平面図（ａ）と側面図（ｂ）である。なお、参考形態における構成要素と同様の機能を有する構成要素については、同一の符号を付して、その説明を省略する。
【００３２】
該変形例における光コネクタ１１は、ストッパ６に代えて図３及び図４に示すストッパ１６を用いる。図３に示すように、ストッパ１６は、ストッパ６の突起６ａと同様の機能を有する突起１６ａ、及びストッパ６の後端６ｄに相当する後端１６ｄを有している。そして、ストッパ１６は、その本体部の後部の幅方向両側部から後方に延出する２本のアーム１６ｂを更に有している。そして、これらアーム１６ｂは、ハウジング２の後方において、保護ブーツ９の幅方向両側に配置されている。
【００３３】
ストッパ１６の後端１６ｄの周縁部には、保護ブーツ９の先端部９ａに嵌合する嵌合部（受け部）１６ｃが形成されている。ストッパ１６をハウジング２に挿着したときに、後端１６ｄ及び嵌合部１６ｃはハウジング２の内部に位置付けられる。嵌合部１６ｃを、例えば、保護ブーツ９の先端部９ａの厚さよりも狭い幅の溝とすることで、保護ブーツ９がストッパ１６から離脱することを防止することができる。更に、両者を接着剤で接着すれば、上記離脱を更に防止することができる。なお嵌合部１６ｃを構成する溝部の底部は、ストッパ６の止め面６ｃに相当する。
【００３４】
上述の変形例において、例えば、ストッパ１６におけるアーム１６ｂの曲げに対する剛性を、保護ブーツ９と同じかそれ以上とする。そうすると、光コネクタ１１の挿抜のために、スライダ７を後方にスライドする際等において、光コネクタ１１は２本のアーム１６ｂで把持され、保護ブーツ９或いはテープファイバ３ｂに意図しない力が加わることを防止することができる。従って、長期に亘って安定した光接続を維持することができ、光コネクタ１１の信頼性が向上する。
【００３５】
（第１の実施形態）
次に、本発明に係る第１の実施形態に係る光コネクタについて、図５〜図１１を用いて説明する。
第１の実施形態では、参考形態に比べ、保護ブーツはストッパから更に離脱し難い。
【００３６】
参考形態では、保護ブーツ９の先端部９ａの内周は、ストッパ６の段部６ｂの外周より若干小さく形成されて、段部６ｂに嵌め込まれる。更に、保護ブーツ９の先端部９ａの内周面とストッパ６の段部６ｂとの間を接着材で接着することもできる。しかし、上記の嵌め込み力や接着力が十分でない場合、光コネクタ１の配置される場所によっては、何らかの力が加わり、保護ブーツ９がはずれてしまうことが考えられる。
【００３７】
また、保護ブーツ９がストッパ６から離脱し難くするために、図５に示すように、段部６ｂの先端部に拡径部６ｅを設け、この拡径部６ｅと止め面６ｃとの間に位置する保護ブーツ９の先端部９ａを狭くして、保護ブーツ９がストッパ６から離脱しないようにすることも考えられる。しかし、保護ブーツ９の先端部９ａの開口を狭くすると、保護ブーツ９を製造する場合に使用する例えば金型から、保護ブーツ９が抜き難くくなってしまうという問題がある。
【００３８】
そこで、図６に示す第１の実施形態にかかる光コネクタ２１はストッパ２６を備えており、このストッパ２６は図７〜図１０に示すように、参考形態におけるストッパ６及び１６と相違している。また、保護ブーツ２９も参考形態における保護ブーツ９と相違している。他の構成要素については、参考形態と同様に形成されている。なお、参考形態と同様の機能を有する構成要素については、同一の符号を付して、その説明を省略する。
【００３９】
図７に示すように、ストッパ２６は、その本体部には、ストッパ１６の嵌合部１６ｃに相当する受け部２６ｃを有し、本体部の両側部の延出部には突起１６ａに相当する突起２６ａを有している。また、受け部２６ｃの先端はストッパ１６の後端１６ｄに相当する後端２６ｄを形成している。アーム１６ｂに相当するアーム２６ｂは、本体部から受け部２６ｃの両側を本体部の後方に延出している。
【００４０】
但し、後端２６ｄよりも後部側の２本のアーム２６ｂの間には、保護ブーツ２９がハウジング２の後端側に変位することを阻止する掛止部２６ｅが設けられている。掛止部２６ｅは、後端２６ｄと平行な面上に位置づけられた略長方形状の板であり、その中央部には、略長方形状の穴２６ｆが設けられている。
【００４１】
そして、図７（ｄ）の側面図（一部断面図）に示すように、ストッパ２６の後方から保護ブーツ２９が装着されるとき、この保護ブーツ２９の先端が受け部２６ｃに嵌合可能となるように、穴２６ｆの高さ方向、幅方向の寸法は、受け部２６ｃの高さ方向、幅方向の寸法よりも大きく設定されている。また、掛止部２６ｅに相対して、保護ブーツ９のための止め面６ｃに相当する止め面２６ｇが設けられている。ここで、止め面２６ｇに相対する掛止部２６ｅの面は掛止面２６ｈを形成している。
【００４２】
図８及び図９に示すように、保護ブーツ２９は、保護ブーツ９の先端部９ａに相当する先端部２９ａ、保護ブーツ９の後端９ｂに相当する後端２９ｂを有して、保護ブーツ９と略同一形状をなしている。保護ブーツ２９は、先端部２９ａの幅方向の二つ周面に、それぞれ略円弧状に隆起した凸部２９ｃを有している点で保護ブーツ９と相違する。
【００４３】
先端部２９ａの高さと幅とは、ストッパ２６の穴２６ｆの高さと幅とより若干小さく形成されている。そして、これら凸部２９ｃを含む先端部２９ａの高さは、穴２６ｆの高さよりも高く設定されている。凸部２９ｃの厚さ（保護ブーツ２９の長さ方向でみて）は、保護ブーツ２９の止め面２６ｇと掛止面２６ｈとの間の距離より若干薄く設定されている。先端部２９ａの内周はストッパ２６の受け部２６ｃの外周より若干小さく形成されている。
【００４４】
このように構成される保護ブーツ２９の先端部２９ａは、ストッパ２６のアーム２６ｂ側から、穴２６ｆを通してストッパ２６の受け部２６ｃに嵌合される。保護ブーツ２９の凸部２９ｃを含む先端部２９ａの高さは、ストッパ２６の穴２６ｆの高さよりも高いが、保護ブーツ２９は可撓性を有しているため、即ち、弾性変形可能であるため、先端部２９ａは穴２６ｆを通過することができる。
【００４５】
図１０に示すように、ストッパ２６の穴２６ｆを通過して、受け部２６ｃに嵌合した保護ブーツ２９の先端部２９ａは、その内周が受け部２６ｃの外周より若干小さく形成されているため、受け部２６ｃから容易に抜けることはない。更に、先端部２９ａに設けられた凸部２９ｃは、ストッパ２６の止め面２６ｇと掛止面２６ｈとの間に位置して、保護ブーツ２９をストッパ２６に掛止する（図１０（ｄ）参照）。
【００４６】
従って、光コネクタ２１では、保護ブーツ２９の先端部２９ａがストッパ２６の受け部２６ｃに嵌合していることと、保護ブーツ２９の凸部２９ｃがストッパ２６に掛止していることとによって、保護ブーツ２９は光コネクタ２１から極めて離脱し難い。
【００４７】
また、光コネクタ１、１１と同様に光コネクタ２１では、図１１に示すように、テープファイバ３ｂに曲げ力が加わった場合、テープファイバ３ｂを囲む保護ブーツ２９は、その曲げに対する剛性で、上記曲げ力に抗しつつ弾性変形することによって、テープファイバ３ｂが曲がる部分の曲率半径を所定値以上に維持する。ここで、保護ブーツ２９は、ハウジング２の内部から変形することができ、光コネクタの後方のスペースが少ない場合においても、光コネクタ２１は、テープファイバ３ｂの曲率半径を所定値以上に維持することができる。そして、ストッパ２６のアーム２６ｂは、光コネクタ１１のアーム１６ｂと同様に、テープファイバ３ｂを保護する作用を有する。
なお本発明は上述した実施形態に限定されるものではなく、その趣旨を逸脱しない範囲で変形して実施することができる。
【００４８】
【発明の効果】
以上説明したように、本発明の光コネクタによれば、可撓性を有し且つ光ファイバテープ心線の曲げを拘束する保護ブーツは、前記ストッパにその先端部が係合された状態で前記ハウジングの後端から延びて、前記光ファイバテープ心線の前記他端側の部位を部分的に囲み、且つ、前記ストッパと前記保護ブーツの先端部との間の係合部は、前記ハウジング内に位置付けられるものとなっている。従って、光ファイバテープ心線の曲げ損失や折損を考慮した光ファイバテープ心線の曲げ半径を、少ないスペースで確保することができるという効果が得られる。
【００４９】
また、保護ブーツの外側に配置された延出部を含んでいる光コネクタは、該光コネクタを挿抜するときにおいて、光ファイバテープ心線に不要な力が加わることを防止することができ、該光コネクタが光通装置等に接続された状態において、前記延出部は光ファイバテープ心線に意図しない力が加わることを防止することができる。従って、該光コネクタの信頼性を向上することができる。
【００５０】
更に、ストッパに形成された受け部に保護ブーツの先端部を嵌合させ、且つ、前記ハウジングの先端側への前記保護ブーツの変位を阻止する止め面を有している光コネクタは、保護ブーツを光コネクタに装着しやすく、且つ、保護ブーツが光コネクタから脱落し難いといった効果を発揮する。
【図面の簡単な説明】
【図１】  本発明に係る光コネクタの参考形態における要部構成を示す断面図である。
【図２】  図１の光コネクタの平面図（ａ）と側面図（ｂ）である。
【図３】  参考形態の光コネクタにおける変形例の要部構成を示す断面図である。
【図４】  図３の光コネクタの平面図（ａ）と側面図（ｂ）である。
【図５】  参考形態の光コネクタにおけるストッパと保護ブーツの嵌合の変形例を示す断面図である。
【図６】  本発明に係る光コネクタの第１の実施形態における平面図（ａ）と側面図（ｂ）である。
【図７】  図６の光コネクタが有するストッパの正面図（ａ）、平面図（ｂ）、背面図（ｃ）及び一部断面をしめす側面図（ｄ）である。
【図８】  図６の光コネクタが有する保護ブーツの側面図（ａ）、正面図（ｂ）、平面図（ｃ）及び背面図（ｄ）である。
【図９】  図６の光コネクタが有する保護ブーツの斜視図である。
【図１０】  図６の光コネクタが有するストッパに保護ブーツを嵌合した場合の正面図（ａ）、一部断面をしめす平面図（ｂ）、背面図（ｃ）及び一部断面をしめす側面図
（ｄ）である。
【図１１】  図６の光コネクタに接続された光ファイバテープ心線が曲げ損失や折損を考慮した状態で曲げられた様子を示す図（一部断面図）である。
【図１】
0004128824.tif 000002
【図２】
0004128824.tif 000003
【図３】
0004128824.tif 000004
【図４】
0004128824.tif 000005
【図５】
0004128824.tif 000006
【図６】
0004128824.tif 000007
【図７】
0004128824.tif 000008
【図８】
0004128824.tif 000009
【図９】
0004128824.tif 000010
【図１０】
0004128824.tif 000011
【図１１】
0004128824.tif 000012